(57)【要約】【課題】強電界地区における抑圧や相互変調歪の発生を軽減し、かつ弱電界地区での感度改善の両立を図ることが可能なアンテナアンプ装置を提供する。【解決手段】複数のアンテナ１Ａ、１Ｂと、このアンテナ１Ａ、１Ｂの内の１つをチューナ５に接続するダイバーシティ装置ＳＷＤとの間に配置されるアンテナアンプ装置１０を、アンテナ１Ａ、１Ｂにそれぞれ接続されるアンプ３Ａ、３Ｂと、切り換えスイッチＳＷ１〜ＳＷ３から構成する。希望波の受信レベルが所定値以上の時には、切り換えスイッチＳＷ１〜ＳＷ３を端子ａ側にしてダイバーシティ装置ＳＷＤでアンテナを選択し、希望波の受信レベルが所定値未満の時には、切り換えスイッチＳＷ１〜ＳＷ３を端子ｂ側にしてアンプ３Ａ、３Ｂを直列接続し、ダイバーシティ装置ＳＷＤは端子ｍ側に固定してアンプゲインを大きくする。【選択図】図２
2008085578.tif 000002
【特許請求の範囲】
【請求項１】
アンテナとチューナとの間に配置されるアンテナアンプ装置であって、
複数のアンプと、
希望波の受信レベルに応じた切り換え信号によって動作し、少なくとも１つの前記アンプを前記アンテナとチューナとの間に配置する複数の切り換えスイッチとを備え、
希望波の受信レベルが低い時には、前記切り換え信号により、前記アンプが複数個直列に接続されて前記アンテナとチューナとの間に配置されることを特徴とするアンテナアンプ装置。
【請求項２】
複数のアンテナと、前記複数のアンテナの内の１つをチューナに接続するダイバーシティ装置との間に配置されるアンテナアンプ装置であって、
前記複数のアンテナにそれぞれ接続される複数のアンプと、
希望波の受信レベルが所定値以上の時には、前記アンテナとこれに接続するアンプの組を、それぞれ前記ダイバーシティ装置の各入力端子に接続し、希望波の受信レベルが所定値未満の時には、少なくとも１つの前記組のアンプを前記アンテナ及び前記入力端子から切り離し、これをアンプが切り離されていない前記組の前記アンプと前記入力端子との間に直列に挿入するように配置された複数の切り換えスイッチとを設けたことを特徴とするアンテナアンプ装置。
【請求項３】
請求項１または２に記載のアンテナアンプ装置であって、
前記アンテナの受信レベルを検出するレベル検出器が設けられており、
前記切り換えスイッチは、このレベル検出器の出力に応じて動作するようになっていることを特徴とするアンテナアンプ装置。
【発明の詳細な説明】
【技術分野】
【０００１】
本発明はアンテナアンプ装置に関し、特に、弱電界地区での希望波を良好に受信できると共に、Ｓ／Ｎ比を向上させて受信品質の向上を図ることができるアンテナアンプ装置に関する。
【背景技術】
【０００２】
ラジオやテレビ用の電波をアンテナで受信して復調する受信機（チューナ）の前段には一般に、アンテナで受信した電波から得られる高周波信号の増幅回路（アンテナアンプ装置）が設けられている。そして、このアンテナアンプ装置には利得（ゲイン）を自動調整する自動利得調整回路（ＡＧＣ回路）が通常設けられている。ところで、車両のような移動体に搭載されるチューナでは、車両が移動して弱電界地区に入ったり強電界地区に入ったりするので、チューナの受信環境が変化する。従って、移動体に搭載されるチューナでは、受信環境が変化しても良好な受信が行えることが求められる。そこで、ＡＧＣ回路付のアンテナアンプ装置においては、弱電界地区での希望波の受信感度を良くするために、アンテナアンプ装置のアンプのゲインが高く設定されている。
【０００３】
この場合、電波の送信アンテナに近い強電界地区においては、強入力電波妨害による希望波への相互変調歪による妨害の発生が懸念される。相互変調による妨害は、ごく近くに周波数の異なる放送局や無線局がある場合に発生し易い混変調妨害と異なり、普通の状態でも発生する。例えば、或る地域において、視聴したい周波数ｆｄの希望波があり、この他にも周波数ｆ１、ｆ２の２つの放送局があって、（２ｆ１−ｆ２）、または（２ｆ２−ｆ１）の値が希望波の周波数であるｆｄに近いという周波数関係があり、周波数ｆ１、ｆ２の信号レベルが高かったとする。この場合は、周波数ｆ１、ｆ２の２つの電波が妨害波となり、ビートが発生したり、希望波が受信不能となったりする。
【０００４】
このような相互変調歪の対策として、ＡＧＣ回路により強入力信号を受信した時にはアンプのゲインを下げて相互変調歪の発生を防止し、歪による妨害を受けないような回路構成になっている。アンプのゲインを下げる方法として、アンプの前に可変減衰器（アッティネータ）を組み込むことが行われる。
【０００５】
図１（ａ）は従来のＡＧＣ回路７の構成を示すものである。アンテナ１で受信された放送信号などの高周波信号は、アッティネ−タ（図にはＡＴＴと記す）２で一旦減衰された後に、アンプ３で増幅されてチューナ５に入力される。また、アンプ３の出力は分岐されてＡＧＣレベル検出部４に入力されており、アンプ３の出力が高い時には、ＡＧＣレベル検出部４がアッティネータの減衰力を増大させて相互変調歪の発生を防止している。
【０００６】
また、弱電界地区ではアンテナアンプ装置を使用し、強電界地区ではアンテナアンプ装置を使用しないようなアンテナアンプ装置が特許文献１に示されている。図１（ｂ）は特許文献１に記載された受信装置の構成を示すものである。アンテナ１とチューナ５との間に設けられアンプ３の前後には切り換えスイッチＳＷＡとＳＷＢとが設けられている。強電界地区では切り換えスイッチＳＷＡとＳＷＢとが端子ａ側に接続されてアンプ３がバイパスされ、弱電界地域では切り換えスイッチＳＷＡとＳＷＢとが端子ｂ側に接続され、アンプ３によって信号が増幅されるようになっている。
【０００７】
更に、特許文献１に開示の受信装置とダイバーシティアンテナシステムとを組み合わせた移動体通信システムが特許文献２に開示されている。この移動体通信システムでは、高周波増幅回路（特許文献２ではブースタ）を備えた３本のアンテナと、ブースタの無い１本のアンテナとがセレクタに接続されている。そして、弱電界或いは中電界の地区では、ブースタによって増幅された３つの受信信号の内の、最も条件のよい受信信号がセレクタで選択されてチューナに入力され、強電界地区では、ブースタがなく増幅されない１つの受信信号がセレクタで選択されてチューナに入力される。
【０００８】
このように、移動体に搭載されるチューナでは、受信環境の変化に対応できる受信性能の確保が課題となっている。このような課題に加えて、ＡＧＣ回路付のアンテナアンプ装置を備えたチューナでは、妨害波と希望波が相互変調妨害の発生する周波数関係にない場合でも、ＡＧＣ量が大きいと、希望波に対して抑圧を与えるという別の問題を起こすことがある。抑圧は、アンテナアンプ装置においてＡＧＣ動作が広帯域であり、周波数選択性を持っていないため、受信帯域内の全ての周波数の妨害信号によって発生する可能性がある。地域によっては、希望波と妨害波の関係が相互変調歪の影響を与える関係となるケースは少ないため、周波数関係に依存しない抑圧のほうが発生する頻度が高くなるケースもある。
【０００９】
【特許文献１】特開平８−２８９２１０号公報（図１）
【特許文献２】特開平１０−２０９９３４号公報（図１）
【発明の開示】
【発明が解決しようとする課題】
【００１０】
この抑圧の問題を回避するためには、ＡＧＣ回路のＡＧＣ量を小さくするか、無くすことが必要となるが、その場合、感度を良くするためにアンプゲインを高くしているため、今度は相互変調が大きく発生してしまうという問題点があった。
【００１１】
そこで、本発明は、アンテナアンプ装置における強電界地区での抑圧や相互変調歪の発生を軽減し、かつ弱電界地区での感度改善の両立を図ることが可能なアンテナアンプ装置を提供することを目的とする。
【課題を解決するための手段】
【００１２】
前記目的を達成する本発明に係るアンテナアンプ装置の第１の形態は、アンテナとチューナとの間に配置されるアンテナアンプ装置であって、複数のアンプと、希望波の受信レベルに応じた切り換え信号によって動作し、少なくとも１つのアンプを前記アンテナとチューナとの間に配置する複数の切り換えスイッチとを備え、希望波の受信レベルが低い時には、切り換え信号により、アンプが複数個直列に接続されてアンテナとチューナとの間に配置されることを特徴としている。
【００１３】
また、前記目的を達成する本発明に係るアンテナアンプ装置の第２の形態は、複数のアンテナと、複数のアンテナの内の１つをチューナに接続するダイバーシティ装置との間に配置されるアンテナアンプ装置であって、複数のアンテナにそれぞれ接続される複数のアンプと、希望波の受信レベルが所定値以上の時には、アンテナとこれに接続するアンプの組を、それぞれダイバーシティ装置の各入力端子に接続し、希望波の受信レベルが所定値未満の時には、少なくとも１つの組のアンプをアンテナ及び入力端子から切り離し、これをアンプが切り離されていない組のアンプと入力端子との間に直列に挿入するように配置された複数の切り換えスイッチとを設けたことを特徴としている。
【００１４】
これらのアンテナアンプ装置において、アンテナの受信レベルを検出するレベル検出器を設け、切り換えスイッチが、このレベル検出器の出力に応じて動作するようにすることができる。
【発明の効果】
【００１５】
本発明に係るアンテナアンプ装置によれば、アンテナアンプ装置における強電界地区での抑圧や相互変調歪の発生を軽減し、かつ弱電界地区での感度改善の両立を図ることができる。
【発明を実施するための最良の形態】
【００１６】
以下添付図面を用いて本発明に係るアンテナアンプ装置の実施の形態を、具体的な実施例に基づいて詳細に説明する。
【００１７】
図２（ａ）は、メインアンテナ１Ａとサブアンテナ１Ｂとが、ダイバーシティ装置８の切り換えスイッチＳＷＤを介してチューナ５に接続された受信システムに設けられた、本発明のアンテナアンプ装置１０の第１の実施例の構成を示すものである。第１の実施例のアンテナアンプ装置１０は、２つのアンプ３Ａ、３Ｂと３つの切り換えスイッチＳＷ１〜ＳＷ３を備えて構成される。スイッチＳＷ１〜ＳＷ３は端子ａと端子ｂとを切り換えるものである。
【００１８】
メインアンテナ１Ａにはアンプ３Ａが直接接続されており、アンプ３Ａの出力は切り換えスイッチＳＷ１を介してダイバーシティ装置８の切り換えスイッチＳＷＤの入力端子ｍに接続されている。また、サブアンテナ１Ｂは切り換えスイッチＳＷ２を介してアンプ３Ｂに接続されており、アンプ３Ｂの出力は切り換えスイッチＳＷ３を介してダイバーシティ装置８の切り換えスイッチＳＷＤの入力端子ｓに接続されている。ダイバーシティ装置８の切り換えスイッチＳＷＤは、入力端子ｍか入力端子ｓかの何れか一方をチューナ５に接続する。
【００１９】
切り換えスイッチＳＷ１は、端子ａがダイバーシティ装置８の切り換えスイッチＳＷＤの入力端子ｍに接続されており、端子ｂが切り換えスイッチＳＷ２の端子ａに接続されている。切り換えスイッチＳＷ２の端子ａにはサブアンテナ１Ｂが接続されている。また、切り換えスイッチＳＷ３は、端子ａがダイバーシティ装置８の切り換えスイッチＳＷＤの入力端子ｓに接続されており、端子ｂが切り換えスイッチＳＷ１の端子ａとダイバーシティ装置８の切り換えスイッチＳＷＤの入力端子ｍとを結ぶ回路に接続されている。
【００２０】
３つの切り換えスイッチＳＷ１〜ＳＷ３は、この実施例ではチューナ５から出力されるスイッチ切り換え信号ＳＣによって切り換えられるようになっており、ダイバーシティ装置８の切り換えスイッチＳＷＤもチューナ５から出力されるアンテナ切り換え信号ＳＤによって切り換えられるようになっている。また、アンプ３Ａによって増幅される前のメインアンテナ１Ａのアンテナレベルと、アンプ３Ｂによって増幅される前のサブアンテナ１Ｂのアンテナレベルとは、レベル検出回路６で検出されてチューナ５に入力されるようになっている。
【００２１】
なお、第１の実施例では、レベル検出回路６の出力レベルαでメインアンテナ１Ａとサブアンテナ１Ｂのアンテナレベルを検出しているが、アンプ３Ａ，３Ｂのゲインが知られているので、メインアンテナ１Ａとサブアンテナ１Ｂのアンテナレベルは、切り換えスイッチＳＷＤの出力レベルβを用いて検出しても良い。また、レベル検出回路６で検出されたメインアンテナ１Ａとサブアンテナ１Ｂのアンテナレベルに基づいて、チューナ５がスイッチ切り換え信号ＳＣを３つの切り換えスイッチＳＷ１〜ＳＷ３に送出しているが、スイッチ切り換え信号ＳＣは、レベル検出回路６から直接３つの切り換えスイッチＳＷ１〜ＳＷ３に送出するような実施例も可能である。
【００２２】
ここで、図２（ａ）のように構成されたアンテナアンプ装置１０の動作を、図２（ａ）、（ｂ）、及び図３を用いて説明する。なお、図２（ｂ）にはアンテナアンプ装置１０の主要部のみを示してあり、レベル検出回路６やスイッチ切り換え信号ＳＣの図示は省略してある。図３に示すように、メインアンテナ１Ａとサブアンテナ１Ｂのアンテナレベルは、判定レベルＫ以上の場合、電界強度が中、又は高レベルであり、判定レベルＫ未満の場合、電界強度が低レベルであるとする。ここでは、時刻Ｔにおいてメインアンテナ１Ａとサブアンテナ１Ｂのアンテナレベルが共に低レベルとなったとする。また、従来の回路でのアンプ３Ａ、３Ｂのゲインが８ｄＢである場合、この実施例では４ｄＢとした。
【００２３】
メインアンテナ１Ａとサブアンテナ１Ｂのアンテナレベルが共に中、又は高レベルである場合は、スイッチ切り換え信号ＳＣにより、３つの切り換えスイッチＳＷ１〜ＳＷ３が全て端子ａに接続されるように制御される。この状態が図２（ａ）に示される。そして、図３に示すように、メインアンテナ１Ａのアンテナレベルの方がサブアンテナ１Ｂのアンテナレベルよりも高い場合、もしくは、サブアンテナ１Ｂの信号にノイズが混入して受信状態が悪化した場合は、チューナ５の制御により、ダイバーシティ装置８の切り換えスイッチＳＷＤが端子ｍ側に制御されてメインアンテナ１Ａの出力が選択されてチューナ５に入力され、逆に、サブアンテナ１Ｂのアンテナレベルの方がメインアンテナ１Ａのアンテナレベルよりも高い場合、もしくは、メインアンテナ１Ａの信号にノイズが混入して受信状態が悪化した場合は、チューナ５の制御により、ダイバーシティ装置８の切り換えスイッチＳＷＤが端子ｓ側に制御されてサブアンテナ１Ｂの出力が選択されてチューナ５に入力される。
【００２４】
このように、メインアンテナ１Ａとサブアンテナ１Ｂのアンテナレベルが共に中、又は高レベルである場合は、ダイバーシティ装置８の切り換えスイッチＳＷＤにより、メインアンテナ１Ａとサブアンテナ１Ｂの内の、アンテナレベルの何れか高い方のアンテナがチューナ５に接続される。そして、この実施例では、アンテナアンプ装置のゲインが従来回路より低くなるが、中、強電界では入力レベルがある程度高いので、アンプのゲインを高くする必要はなく、これにより強電界地区における強入力電波妨害により、希望波への相互変調歪による妨害の発生の虞が低減される。また、ＡＧＣ回路を使用していないので、強電界時の抑圧発生も防止すること、及びＡＧＣ回路での歪の低減ができる。
【００２５】
次に、時刻Ｔ以降になり、メインアンテナ１Ａとサブアンテナ１Ｂのアンテナレベルが共に低レベルになった場合は、スイッチ切り換え信号ＳＣにより、３つの切り換えスイッチＳＷ１〜ＳＷ３が全て端子ｂに接続されるように制御され、ダイバーシティ装置８の切り換えスイッチＳＷＤが端子ｍ側に固定される。この状態が図２（ｂ）に示される。この状態では、サブアンテナ１Ｂが切り離され、メインアンテナ１Ａによって受信された信号が直列接続されたアンプ３Ａとアンプ３Ｂの両方で増幅され、チューナ５に入力される。
【００２６】
前述のように、従来の回路でのアンプ３Ａ、３Ｂのゲインが８ｄＢである場合に、この実施例のアンプ３Ａ、３Ｂのゲインを４ｄＢとしたので、メインアンテナ１Ａとサブアンテナ１Ｂのアンテナレベルが共に低レベルになった場合には、この実施例のアンテナアンプ装置のゲインは、弱電界地区での希望波の受信感度を良くするためにアンプのゲインが高く設定された従来回路並みとなり、弱電界の感度を良くする効果が得られる。
【００２７】
なお、第１の実施例で、ダイバーシティ装置８が設けられたチューナの前段に設けられるアンテナアンプ装置３Ａ、３Ｂの構成を説明したが、本発明に係るアンテナアンプ装置３Ａ、３Ｂを、ダイバーシティ装置８の無いチューナの前段に設けた変形実施例が可能である。この変形実施例を図２（ｃ）示す。変形実施例の構成は、第１の実施例からサブアンテナ１Ｂ、切り換えスイッチＳＷ２、及びダイバーシティ装置８の切り換えスイッチＳＷＤが除かれただけである。変形例では、アンテナ１のアンテナレベルが、中、又は高レベルである場合に切り換えスイッチＳＷ１、ＳＷ３が端子ａ側に制御され、低レベルである場合に切り換えスイッチＳＷ１、ＳＷ３が端子ｂ側に制御される。
【００２８】
図４（ａ）は、本発明に係るアンテナアンプ装置１０の第２の実施例の概略構成を示すものである。第２の実施例のアンテナアンプ装置は、第１の実施例のアンテナアンプ装置の構成を簡略化したものであり、第１の実施例から切り換えスイッチＳＷ３を除いたものである。このため、第２の実施例では、アンプ３Ｂの出力が直接ダイバーシティ装置８の切り換えスイッチＳＷＤの端子ｓに入力されるようになっている。なお、第２の実施例にも第１の実施例同様にレベル検出器６が設けられているが、図示を省略してある。
【００２９】
第２の実施例でも、メインアンテナ１Ａとサブアンテナ１Ｂのアンテナレベルが共に中、又は高レベルである場合は、２つの切り換えスイッチＳＷ１、ＳＷ２が共に端子ａに接続されるように制御される。この状態が図４（ａ）に示される。そして、第１の実施例と同様に、メインアンテナ１Ａのアンテナレベルの方がサブアンテナ１Ｂのアンテナレベルよりも高い場合、もしくは、サブアンテナ１Ｂの信号にノイズが混入して受信状態が悪化した場合は、チューナ５の制御により、ダイバーシティ装置８の切り換えスイッチＳＷＤが端子ｍ側に制御されてメインアンテナ１Ａの出力が選択されてチューナ５に入力され、逆に、サブアンテナ１Ｂのアンテナレベルの方がメインアンテナ１Ａのアンテナレベルよりも高い場合、もしくは、メインアンテナ１Ａの信号にノイズが混入して受信状態が悪化した場合は、チューナ５の制御により、ダイバーシティ装置８の切り換えスイッチＳＷＤが端子ｓ側に制御されてサブアンテナ１Ｂの出力が選択されてチューナ５に入力される。
【００３０】
次に、メインアンテナ１Ａとサブアンテナ１Ｂのアンテナレベルが共に低レベルになった場合は、２つの切り換えスイッチＳＷ１、ＳＷ２が全て端子ｂに接続されるように制御され、ダイバーシティ装置８の切り換えスイッチＳＷＤが端子ｓ側に固定される。この状態が図４（ｂ）に示される。この状態では、サブアンテナ１Ｂが切り離され、メインアンテナ１Ａによって受信された信号がアンプ３Ａとアンプ３Ｂの両方で増幅され、チューナ５に入力される。
【００３１】
第２の実施例のアンテナアンプ装置の効果は、第１の実施例のアンテナアンプ装置の効果と同様であり、更に、切り換えスイッチの数が減っただけコストが安くなる。
【００３２】
図５は、本発明に係るアンテナアンプ装置１０の第３の実施例の構成を示すものであり、チューナ５が自動車などの移動体に搭載されており、４本のアンテナがダイバーシティ装置８を介してチューナ５に接続される場合のアンテナアンプ装置１０の構成を示すものである。移動体が自動車である場合、４本のアンテナは、自動車の左前方に取り付けられる左前方アンテナ１ＦＬ、自動車の右前方に取り付けられる右前方アンテナ１ＦＲ、自動車の左後方に取り付けられる左後方アンテナ１ＲＬ、自動車の右後方に取り付けられる右後方アンテナ１ＲＲであるとする。
【００３３】
そして、左前方アンテナ１ＦＬにはアンプ３ＦＬ、右前方アンテナ１ＦＲにはアンプ３ＦＲ、左後方アンテナ１ＲＬにはアンプ３ＲＬ、右後方アンテナ１ＲＲにはアンプ３ＲＲが接続されている。これらのアンプ３ＦＬ、３ＦＲ、３ＲＬ、３ＲＲの出力は、それぞれダイバーシティ装置８の切り換えスイッチＳＷ４Ｄの端子ｃ、ｄ、ｅ、ｆに接続されている。
【００３４】
また、第３の実施例では自動車の前方側のアンテナ用に３つの切り換えスイッチＳＷＦ１〜ＳＷＦ３が設けられており、自動車の後方側のアンテナ用に３つの切り換えスイッチＳＷＲ１〜ＳＷＲ３が設けられている。スイッチＳＷＦ１〜ＳＷＦ３とスイッチＳＷＲ１〜ＳＷＲ３とは端子ａと端子ｂとを切り換えるものである。
【００３５】
切り換えスイッチＳＷＦ１は、アンプ３ＦＬの出力と切り換えスイッチＳＷ４Ｄの入力端子ｃの間に設けられており、端子ｃには端子ａが接続されている。切り換えスイッチＳＷＦ２は、アンテナ１ＦＲとアンプ３ＦＲの間に設けられており、端子ａがアンテナ１ＦＲに接続されている。切り換えスイッチＳＷＦ３は、アンプ３ＦＲの出力と切り換えスイッチＳＷ４Ｄの入力端子ｄの間に設けられており、端子ｄには端子ａが接続されている。
【００３６】
切り換えスイッチＳＷＲ１は、アンテナ１ＲＬとアンプ３ＦＬの間に設けられており、端子ａがアンテナ１ＲＬに接続されている。切り換えスイッチＳＷＲ２は、アンプ３ＲＬの出力と切り換えスイッチＳＷ４Ｄの入力端子ｅの間に設けられており、端子ｅには端子ａが接続されている。切り換えスイッチＳＷＲ３は、アンテナ１ＲＲとアンプ３ＲＲの間に設けられており、端子ａがアンテナ１ＲＲに接続されている。
【００３７】
また、切り換えスイッチＳＷＦ１の端子ｂが切り換えスイッチＳＷＦ２の端子ｂに接続され、切り換えスイッチＳＷＦ３の端子ｂが切り換えスイッチＳＷＲ１の端子ｂに接続され、切り換えスイッチＳＷＲ２の端子ｂが切り換えスイッチＳＷＲ３の端子ｂに接続されている。ダイバーシティ装置８の切り換えスイッチＳＷ４Ｄは、入力端子ｃ〜ｆの何れか１つをチューナ５に接続する。
【００３８】
６つの切り換えスイッチＳＷＦ１〜ＳＷＦ３とＳＷＲ１〜ＳＷＲ３とは、この実施例ではチューナ５から出力されるスイッチ切り換え信号ＳＣによって切り換えられるようになっており、ダイバーシティ装置８の切り換えスイッチＳＷＤもチューナ５から出力されるアンテナ切り換え信号ＳＤによって切り換えられるようになっている。また、アンプ３ＦＬ、３ＦＲ、３ＲＬ、３ＲＲによって増幅される前の各アンテナ１ＦＬ、１ＦＲ、１ＲＬ、１ＲＲのアンテナレベルは、レベル検出回路６で検出されてチューナ５に入力されるようになっている。
【００３９】
なお、第３の実施例では、レベル検出回路６の出力レベルＸで各アンテナ１ＦＬ，１ＦＲ，１ＲＬ，１ＲＲのアンテナレベルを検出しているが、アンプ３ＦＬ，３ＦＲ，３ＲＬ，３ＲＲのゲインが知られているので、各アンテナ１ＦＬ，１ＦＲ，１ＲＬ，１ＲＲのアンテナレベルは、切り換えスイッチＳＷ４Ｄの出力レベルＹを用いて検出しても良い。また、スイッチ切り換え信号ＳＣは、レベル検出回路６から直接６つの切り換えスイッチＳＷＦ１〜ＳＷＦ３とＳＷＲ１〜ＳＷＲ３に送出するような実施例も可能である。
【００４０】
ここで、図５のように構成された第３の実施例のアンテナアンプ装置１０の動作を、図５、図６（ａ）、（ｂ）、及び図７を用いて説明する。なお、図６（ａ）、（ｂ）、及び図７にはアンテナアンプ装置１０の主要部のみを示してあり、レベル検出回路６やスイッチ切り換え信号ＳＣの図示は省略してある。
【００４１】
第３の実施例では、アンテナが４本設けられており、その内の２本が自動車の前方、残りの２本が自動車の後方に設けられているので、（１）アンテナ４本をダイバーシティ装置８で切り換える受信方法、（２）前方のアンテナを１つにしてゲインを上げると共に、後方のアンテナを１つにしてゲインを上げ、前方アンテナと後方アンテナをダイバーシティ装置８で切り換える受信方法、（３）ダイバーシティ装置８を固定し、１本のアンテナのゲインを３倍にする受信方法、（４）ダイバーシティ装置８を固定し、１本のアンテナのゲインを４倍にする受信方法、の４通りの受信方法を選択することができる。
【００４２】
（１）、（２）の受信方法のみを実施する場合は、各アンテナのアンテナレベルを、第１の実施例と同様に、判例レベルＫ以上の場合、電界強度が中、又は高レベルであり、判例レベルＫ未満の場合、電界強度が低レベルであるとすることができる。この場合は、従来の回路でのアンプ３Ａ、３Ｂのゲインが８ｄＢである場合、各アンプのゲインを４ｄＢとすれば良い。また、（１）〜（４）の受信方法を全て実施する場合は、各アンテナのアンテナレベルの判定レベルを、微弱、低、中、又は高の４段階に分けて判定すれば良い。この場合は、各アンプのゲインを３ｄＢ又は２ｄＢのような従来回路よりも低い固定値にしておくと良い。
【００４３】
（１）アンテナ４本をダイバーシティ装置で切り換える受信方法
（１）、（２）の受信方法のみを実施する場合は、４本のアンテナのアンテナレベルが全て中、又は高レベルである場合に実施し、（１）〜（４）の受信方法を全て実施する場合は、４本のアンテナのアンテナレベルが全て高レベルである場合に実施する。６つの切り換えスイッチＳＷＦ１〜ＳＷＦ３とＳＷＲ１〜ＳＷＲ３が全て端子ａに接続されるように制御される。この状態が図５に示される。そして、４本のアンテナの中の最もアンテナレベルが高いアンテナがダイバーシティ装置８の切り換えスイッチＳＷ４Ｄによって選択されてチューナ５に接続される。この状態では、アンテナアンプ装置のゲインが従来回路より小さいので、強電界地区における強入力電波妨害により、希望波への相互変調歪による妨害の発生の虞が低減される。
【００４４】
（２）前方アンテナと後方アンテナをダイバーシティ装置で切り換える受信方法
（１）、（２）の受信方法のみを実施する場合は、４本のアンテナのアンテナレベルが全て低レベルである場合に実施し、（１）〜（４）の受信方法を全て実施する場合は、４本のアンテナのアンテナレベルが全て中レベルである場合に実施する。６つの切り換えスイッチＳＷＦ１〜ＳＷＦ３とＳＷＲ１〜ＳＷＲ３の内、切り換えスイッチＳＷＦ１とＳＷＦ２、及び切り換えスイッチＳＷＲ２とＳＷＲ３が端子ｂに接続されるように制御されるが、切り換えスイッチＳＷＦ３とＳＷＲ１は端子ａに接続されたままである。この状態が図６（ａ）に示される。
【００４５】
この状態では、右前方アンテナ１ＦＲと右後方アンテナ１ＲＲが切り離され、左前方アンテナ１ＦＬによって受信された信号が、アンプ３ＦＬとアンプ３ＦＲの両方で増幅されて切り換えスイッチＳＷ４Ｄの端子ｄに入力され、左後方アンテナ１ＲＬによって受信された信号が、アンプ３ＲＬとアンプ３ＲＲの両方で増幅されて切り換えスイッチＳＷ４Ｄの端子ｆに入力される。チューナ５には、左前方アンテナ１ＦＬによって受信された信号と、左後方アンテナ１ＲＬによって受信された信号の内のアンテナレベルの高い方の信号が入力される。
【００４６】
前述のように、（１）、（２）の受信方法のみを実施する場合は、従来の回路でのアンプのゲインが８ｄＢである場合に、この実施例のアンプ３ＦＬ、３ＦＲ、３ＲＬ、３ＲＲのゲインを全て４ｄＢにできるので、この実施例のアンテナアンプ装置のゲインは、アンテナレベルが低い状態で８ｄＢとすることができる。一方、（１）〜（４）の受信方法を全て実施する場合は、（２）の方法はアンテナレベルが中程度で実施されるので、この実施例のアンプ３ＦＬ、３ＦＲ、３ＲＬ、３ＲＲのゲインを、全て３ｄＢにした場合は、アンテナアンプ装置のゲインは６ｄＢとなり、全て２ｄＢにした場合は、アンテナアンプ装置のゲインは４ｄＢとなり、受信は十分に行える。
【００４７】
（３）ダイバーシティ装置を固定し、１本のアンテナのゲインを３倍にする受信方法
（１）〜（４）の受信方法を全て実施する場合の方法であり、４本のアンテナのアンテナレベルが全て低レベルである場合に実施する。６つの切り換えスイッチＳＷＦ１〜ＳＷＦ３とＳＷＲ１〜ＳＷＲ３の内、切り換えスイッチＳＷＦ１〜ＳＷＦ３、及び切り換えスイッチＳＷＲ１とＳＷＲ３が端子ｂに接続されるように制御されるが、切り換えスイッチＳＷＲ２は端子ａに接続されたままである。この状態が図６（ｂ）に示される。
【００４８】
この状態では、右前方アンテナ１ＦＲと左後方アンテナ１ＲＬと右後方アンテナ１ＲＲが切り離され、左前方アンテナ１ＦＬによって受信された信号が、アンプ３ＦＬとアンプ３ＦＲ、およびアンプ３ＲＬの３つで増幅されて切り換えスイッチＳＷ４Ｄの端子ｅに入力され。ダイバーシティ装置８の切り換えスイッチＳＷ４Ｄは端子ｅに固定され、チューナ５には、左前方アンテナ１ＦＬによって受信された信号が入力される。
【００４９】
前述のように、（３）の方法はアンテナレベルが低い時に実施されるので、この実施例のアンプ３ＦＬ、３ＦＲ、３ＲＬ、３ＲＲのゲインを、全て３ｄＢにした場合は、アンテナアンプ装置のゲインは９ｄＢとなり、全て２ｄＢにした場合は、アンテナアンプ装置のゲインは６ｄＢとなる。ゲインを全て３ｄＢにした場合はアンテナアンプ装置のゲインは十分であり、ゲインを全て２ｄＢにした場合はアンテナアンプ装置のゲインはやや不足気味であるが、受信は行える。
【００５０】
（４）ダイバーシティ装置を固定し、１本のアンテナのゲインを４倍にする受信方法
（１）〜（４）の受信方法を全て実施する場合の方法であり、４本のアンテナのアンテナレベルが全て微弱レベルである場合に実施する。６つの切り換えスイッチＳＷＦ１〜ＳＷＦ３とＳＷＲ１〜ＳＷＲ３は全て端子ｂに接続されるように制御される。この状態が図７に示される。
【００５１】
この状態では、右前方アンテナ１ＦＲと左後方アンテナ１ＲＬと右後方アンテナ１ＲＲが切り離され、左前方アンテナ１ＦＬによって受信された信号が、アンプ３ＦＬとアンプ３ＦＲ、アンプ３ＲＬ、及びアンプ３ＲＲの４つで増幅されて切り換えスイッチＳＷ４Ｄの端子ｆに入力され。ダイバーシティ装置８の切り換えスイッチＳＷ４Ｄは端子ｆに固定され、チューナ５には、左前方アンテナ１ＦＬによって受信された信号が入力される。
【００５２】
前述のように、（４）の方法はアンテナレベルが微弱である時に実施されるので、この実施例のアンプ３ＦＬ、３ＦＲ、３ＲＬ、３ＲＲのゲインを、全て３ｄＢにした場合は、アンテナアンプ装置のゲインは１２ｄＢとなり、全て２ｄＢにした場合は、アンテナアンプ装置のゲインは８ｄＢとなる。ゲインを全て３ｄＢにした場合はアンテナアンプ装置のゲインが１２ｄＢと非常に大きくなり、ゲインを全て２ｄＢにした場合はアンテナアンプ装置のゲインは８ｄＢとなるので、受信が行える可能性がある。
【００５３】
以上、アンテナが２本の場合の実施例、及び４本の場合の実施例について説明したが、本発明に係るアンテナアンプ装置はアンテナが複数本であれば、アンテナの本数は特に限定されるものではない。
【００５４】
更に、以上説明した実施例では、ＡＧＣ回路を使用していないので、強電界時の抑圧発生も防止することができる。しかしながら、図８に示すように、ＡＧＣ回路７が設けられている回路であっても、アッティネータ２の減衰量が少ない固定量であれば、本発明に係るアンテナアンプ装置１０はＡＧＣ回路７とチューナ５の間に設けることが可能である。
【図面の簡単な説明】
【００５５】
【図１】（ａ）は従来のアンテナ回路に使用されるＡＧＣ回路の一例を示す回路図、（ｂ）は従来の特許文献に記載のアンテナアンプ装置を組み込んだアンテナ回路の構成を示す回路図である。
【図２】（ａ）は本発明に係るアンテナアンプ装置の、第１の実施例の構成を示す回路図、（ｂ）は（ａ）のアンテナアンプ装置のアンテナレベルが低い時の動作を示す回路図、（ｃ）は本発明に係る第１の実施例の変形例の構成を示す回路図である。
【図３】アンテナレベルが変化した時の、図２（ａ）、（ｂ）に示したスイッチの動作を示すタイムチャートである。
【図４】（ａ）は本発明に係るアンテナアンプ装置の、第２の実施例の構成を示す回路図、（ｂ）は（ａ）のアンテナアンプ装置のアンテナレベルが低い時の動作を示す回路図である。
【図５】本発明に係るアンテナアンプ装置の、第３の実施例の構成を示す回路図であり、電界強度が高い場合の動作を示すものである。
【図６】（ａ）は図５のアンテナアンプ装置においてアンプを２段直列に接続して使用する場合の動作を示す回路図、（ｂ）は図５のアンテナアンプ装置においてアンプを３段直列に接続して使用する場合の動作を示す回路図である。
【図７】図５のアンテナアンプ装置においてアンプを４段直列に接続して使用する場合の動作を示す回路図である。
【図８】本発明のアンテナアンプ装置の前にＡＧＣ回路を組み込んだ実施例を示す回路図である。
【符号の説明】
【００５６】
１、１Ａ、１Ｂ、１ＦＬ、１ＦＲ、１ＲＬ、１ＲＲ    アンテナ
２    アッティネータ
３、３Ａ、３Ｂ、３ＦＬ、３ＦＲ、３ＲＬ、３ＲＲ    アンプ
４    ＡＧＣレベル検出部
５    チューナ
６    アンテナレベル検出部
７    ダイバーシティ装置
【図１】
2008085578.tif 000003
【図２】
2008085578.tif 000004
【図３】
2008085578.tif 000005
【図４】
2008085578.tif 000006
【図５】
2008085578.tif 000007
【図６】
2008085578.tif 000008
【図７】
2008085578.tif 000009
【図８】
2008085578.tif 000010